(57)【特許請求の範囲】
【請求項１】
ｎ個の入力相接続（Ｕ１、Ｖ１、Ｗ１）及びｐ個の出力相接続（Ｕ２、Ｖ２、Ｗ２）と、ここで、ｎ≧２及びｐ≧２であり、
極間で少なくとも１つの正電圧及び少なくとも１つの負電圧を切換えるための（ｎ×ｐ）個の第１の２極スイッチングセルと、
各出力相接続（Ｕ２、Ｖ２、Ｗ２）と各入力相接続（Ｕ１、Ｖ１、Ｗ１）が前記第１の２極スイッチングセルを介してそれぞれ接続されてなる複数のブランチと、
を具備する直接変換器において、
少なくとも１つのインダクタが前記複数のブランチの各々において前記第１の２極スイッチングセルと直列に接続されていることを特徴とする直接変換器。
【請求項２】
前記第１の２極スイッチングセルの各々は制御された単方向の電流伝播方向を有する４個の駆動可能な双方向電力半導体スイッチを有し、
前記双方向電力半導体スイッチはブリッジ回路として接続されており、
容量エネルギ蓄積装置は前記双方向電力半導体スイッチの前記ブリッジ回路に並列接続されている、ことを特徴とする請求項１記載の直接変換器。
【請求項３】
前記極間で少なくとも１つの正電圧及び少なくとも１つの負電圧を切換えるための少なくとも１つのさらに別の第２の２極スイッチングセルが、前記複数のブランチの各々において前記第１の２極スイッチングセルと直列に接続されていることを特徴とする請求項１または２記載の直接変換器。
【請求項４】
前記極間で少なくとも１つの正電圧及び少なくとも１つの負電圧を切換えるための少なくとも１つのさらに別の第２の２極スイッチングセルは、前記第１の２極スイッチングセルの各々に並列に接続されていることを特徴とする請求項１または２記載の直接変換器。
【請求項５】
前記第１の２極スイッチングセルと少なくとも１つのインダクタにより形成される第１の直列回路の各々が、相互に並列接続され、
少なくとも１つのさらに別の第２の直列回路が、前記極間で少なくとも１つの正電圧及び少なくとも１つの負電圧を切換えるための前記第２の２極スイッチングセルと、少なくとも１つのさらに別のインダクタとにより形成されている、ことを特徴とする請求項３または４のいずれか１項記載の直接変換器。
【請求項６】
短絡回路素子は前記第１及び第２の２極スイッチングセルと並列に接続されることを特徴とする請求項３乃至５のいずれか１項記載の直接変換器。
【請求項７】
請求項１乃至６のいずれか１項記載の直接変換器が変圧器を介して前記入力相接続（Ｕ１、Ｖ１、Ｗ１）において電気ＡＣ電圧システムに接続されていることを特徴とするシステム。
【請求項８】
請求項１乃至６のいずれか１項記載の直接変換器が入力故障電流制限インダクタを介して前記直接変換器の少なくとも１つの入力相接続（Ｕ１、Ｖ１、Ｗ１）において電気ＡＣ電圧システムに接続されていることを特徴とするシステム。
【請求項９】
出力故障電流制限インダクタが前記直接変換器の少なくとも１つの出力相接続（Ｕ２、Ｖ２、Ｗ２）に接続されていることを特徴とする請求項７または８記載のシステム。
【請求項１０】
抵抗（Ｒ）とキャパシタンス（Ｃ）との直列回路により形成されるＲＣフィルタは出力故障電流制限インダクタに接続され、接地されていることを特徴とする請求項９記載のシステム。
【請求項１１】
各入力相接続（Ｕ１、Ｖ１、Ｗ１）が、抵抗（Ｒ）とキャパシタンス（Ｃ）との直列回路により形成されているそれぞれのエッジフィルタに接続され、
前記エッジフィルタは相互に接続され、
その接続点は接地抵抗（Ｒｇ）を介して接地されている、ことを特徴とする請求項７乃至１０のいずれか１項記載のシステム。
【請求項１２】
充電装置は少なくとも１つの入力相接続（Ｕ１、Ｖ１、Ｗ１）に接続されていることを特徴とする請求項７乃至１１のいずれか１項記載のシステム。
【請求項１３】
充電装置は出力故障電流制限インダクタに接続されていることを特徴とする請求項９記載のシステム。
【請求項１４】
請求項１乃至５のいずれか１項に記載されているのと同様の少なくとも１つのさらに別の直接変換器が設けられ、
それぞれの前記さらに別の直接変換器のｎ個の入力相接続（Ｕ１、Ｖ１、Ｗ１）は、前記直接変換器のｎ個の入力相接続（Ｕ１、Ｖ１、Ｗ１）に対応し、
それぞれの前記さらに別の直接変換器のｐ個の出力相接続（Ｕ２、Ｖ２、Ｗ２）は、前記直接変換器のｐ個の出力相接続（Ｕ２、Ｖ２、Ｗ２）に対応し、
それぞれの前記さらに別の直接変換器は、それぞれの前記さらに別の直接変換器の前記入力相接続（Ｕ１、Ｖ１、Ｗ１）及び出力相接続（Ｕ２、Ｖ２、Ｗ２）において、前記直接変換器と、前記直接変換器の前記入力相接続（Ｕ１、Ｖ１、Ｗ１）及び出力相接続（Ｕ２、Ｖ２、Ｗ２）において並列接続されている、ことを特徴とする請求項７乃至１３のいずれか１項記載のシステム。
【発明の詳細な説明】
【技術分野】
【０００１】
本発明は電力電子技術の分野に関する。これは独立請求項の前提による直接変換器とこのような直接変換器を具備するシステムに関する。
【背景技術】
【０００２】
過去において、直接変換器、特にマトリックス変換器は学究的に重要である。しかしながら今日、直接変換器は主に産業応用で重要さを増しており、それは直接変換器によって複雑なＤＣ電圧中間回路またはＤＣ電流中間回路なしに、第１の振幅と第１の周波数を有する入力電圧又は入力電流がそれぞれ第２の振幅と第２の周波数を有する出力電圧または出力電流に直接変換されることができるためである。このような直接変換器は例えば米国特許第6,900998 B2号明細書に特定されており、それにおいては直接変換器はｎ＝３の入力相接続とｐ＝３の出力相接続を有し、即ち米国特許第6,900998 B2号明細書の直接変換器は入力側および出力側で３相方法で実施されている。米国特許第6,900998 B2号明細書の直接変換器はさらに極間で正と負の電圧を切換えるための９個の２極スイッチングセルを具備し、各出力相接続はそれぞれスイッチングセルを介して直接各入力相接続と直列に接続されている。
【０００３】
米国特許第6,900998 B2号明細書による直接変換器についての問題は、入力相接続から出力相接続までの連続的な電流の流れが得られることができ、その結果としてそれぞれのブランチを通してアクチブ電流の設定が可能ではないように、各ブランチにおける即ち各２極スイッチングセルにおける電圧が設定されることができないことである。さらに米国特許第6,900998 B2号明細書の直接変換回路では個々のブランチ間の電気エネルギの交換は行われないか非常に限定された交換のみになる。しかしながら変換器回路が大量の電気エネルギを転送することができることを意図されているならば、米国特許第6,900998 B2号明細書のスイッチングセルのキャパシタンスは対応して大きな寸法で構成されなければならず、それはこのような直列変換器回路で大きなスペースが必要になり、相当の値段を生じる。結果としてこのタイプの直接変換器で構成されるシステムは同様に対応して大きいスペースが必要であり、対応して高価になる。
【発明の概要】
【０００４】
それ故、本発明の目的は、直接変換器の入力相接続から出力相接続までの任意の所望の連続的な電流流動設定と、直接変換器の２極スイッチングセル間の電気エネルギの交換を可能にする直接変換器を特定することである。さらに本発明の目的は本発明によるこのような直接変換器を具備するシステムを特定することである。
【０００５】
これらの目的はそれぞれ請求項１および請求項６の特徴により実現される。本発明の有効な開発形態は従属請求項に特定されている。
【０００６】
本発明による直接変換器はｎ個の入力相接続とｐ個の出力相接続を具備しており、ここではｎ≧２およびｐ≧２である。さらに直接変換器は極間で少なくとも１つの正電圧と、少なくとも１つの負電圧とを切換えるためのｎ・ｐ個の２極スイッチングセルを具備しており、各出力相接続はスイッチングセルを介してそれぞれ入力相接続と直列に接続されている。本発明によれば少なくとも１つのインダクタンスが各直列接続中に接続されている。各直列接続、即ち入力相接続と出力相接続間の各ブランチのインダクタンスは、入力相接続から出力相接続までの連続的な電流の流れが得られ、その結果としてそれぞれのブランチを通るアクチブ電流設定が可能であるように有効にスイッチングセルによる電圧設定を可能にする。さらに個々のブランチ間の電気エネルギの実質的で任意の所望な交換は本発明による直接変換器で可能である。
【０００７】
本発明による前述の直接変換器を具備している本発明によるシステムの場合には、直接変換器は変圧器を介して入力相接続で電気ＡＣ電圧システムに接続されている。この代替として、本発明による直接変換器は入力ボルト電流制限インダクタを介して直接変換器の少なくとも１つの入力相接続において電気ＡＣ電圧システムに接続されている。全体として、本発明によるシステムはしたがって非常に簡単な方法で構成される。
【０００８】
本発明のこれらおよびさらに別の目的、利点、特徴は図面を伴った本発明の好ましい実施形態の以下の詳細な説明から明白になるであろう。
【図面の簡単な説明】
【０００９】
【図１】直接変換器の第１の実施形態を示す図である。
【図２】直接変換器の第２の実施形態を示す図である。
【図３】直接変換器の第３の実施形態を示す図である。
【図４】システムの第１の実施形態を示す図である。
【図５】システムの第２の実施形態を示す図である。
【図６】システムの第３の実施形態を示す図である。
【図７】システムの第４の実施形態を示す図である。
【図８】システムの第５の実施形態を示す図である。
【図９】システムの第６の実施形態を示す図である。
【図１０】システムの第７の実施形態を示す図である。
【図１１】システムの第８の実施形態を示す図である。
【図１２】システムの第９の実施形態を示す図である。
【図１３】システムの第１０の実施形態を示す図である。
【図１４】システムの第１１の実施形態を示す図である。
【図１５】システムの第１２の実施形態を示す図である。
【図１６】システムの第１３の実施形態を示す図である。
【発明を実施するための形態】
【００１０】
図面で使用されている参照符合とそれらの意味は参照符合のリストに要約されている。原則として、図面では同一の部品には同一の参照符合が与えられている。記載されている実施形態は本発明の主題の例を表し、本発明を限定する効果はもたない。
【００１１】
本発明による直接変換器１はｎ個の入力相接続Ｕ１、Ｖ１、Ｗ１と、ｐ個の出力相接続Ｕ２、Ｖ２、Ｗ２を具備し、ここではｎ≧２およびｐ≧２である。さらに直接変換器１は極間で少なくとも１つの正電圧及び少なくとも１つの負電圧を切換えるためのｎ・ｐ個の２極スイッチングセル２を具備しており、各出力相接続Ｕ２、Ｖ２、Ｗ２はそれぞれスイッチングセル２を介して各入力相接続Ｕ１、Ｖ１、Ｗ１と直列に接続されている。図１はｎ＝３の入力相接続Ｕ１、Ｖ１、Ｗ１とｐ＝３の出力相接続Ｕ２、Ｖ２、Ｗ２とを具備する直接変換器の例によるこの直列の接続を示している。さらに図２はｎ＝２の入力相接続Ｕ１、Ｖ１とｐ＝３の出力相接続Ｕ２、Ｖ２、Ｗ２とを具備する直接変換器を示しており、図３はｎ＝２の入力相接続Ｕ１、Ｖ１とｐ＝２の出力相接続Ｕ２、Ｖ２とを具備する直接変換器を示している。
【００１２】
本発明によれば少なくとも１つのインダクタンス３が各直列接続に、即ち前述したように関連される２極スイッチングセル２を介して出力相接続Ｕ２、Ｖ２、Ｗ２と入力相接続Ｕ１、Ｖ１、Ｗ１へ接続されている。各直列接続、即ち入力相接続Ｕ１、Ｖ１、Ｗ１と出力相接続Ｕ２、Ｖ２、Ｗ２との間の各ブランチのインダクタンス３は、入力相接続Ｕ１、Ｖ１、Ｗ１から出力相接続Ｕ２、Ｖ２、Ｗ２までの連続的な電流の流れが実現されることができ、その結果としてそれぞれのブランチを通るアクチブ電流設定が可能であるようにスイッチングセル２による電圧設定を可能にする。さらに個々のブランチ間の電気エネルギの実質的で任意の所望な交換は本発明による直接変換器１によって可能である。
【００１３】
好ましくは、各スイッチングセル２は制御された単方向の電流伝播方向を有する４つの駆動可能な双方向の電力半導体スイッチを有し、前記電力半導体スイッチはブリッジ回路の方法で接続されており、容量エネルギ蓄積装置は電力半導体スイッチングのブリッジ回路と並列に接続されている。しかしながら、通常多レベル回路として実施され極間で少なくとも１つの正電圧及び少なくとも１つの負電圧を切換えることができる２極スイッチングセル２も考えられる。
【００１４】
制御可能な単方向の電流伝播方向を有する駆動可能な双方向電力半導体スイッチは特にゲートターンオフサイリスタ（ＧＴＯ）として、または逆並列接続されたそれぞれのダイオードを備えた整流駆動電極を有する集積サイリスタ（ＩＧＣＴ-集積ゲート整流サイリスタ）として構成される。しかしながら、駆動可能な電力半導体スイッチが、さらにダイオードが逆並列接続された電力ＭＯＳＦＥＴとして、またはさらにダイオードが逆並列接続された絶縁ゲートバイポーラトランジスタ（ＩＧＢＴ）として構成されることも考えられる。多量の電気エネルギを転送できるように意図された直列変換器１の場合には個々のブランチ間、したがって個々のスイッチングセル２間で既に前述した実質的な任意の所望の電気エネルギの交換によって、スイッチングセルの容量性エネルギ蓄積装置は対応して小さい寸法で有効に構成されることができ、これは既知の直接変換器に比較して大きなスペースの節約と大きな価格減少を生じる。結果として、このタイプの直接変換器を備えているシステムは同様に、対応して小さいスペースしか必要とせず、対応して価格が効率的であることができる。
【００１５】
本発明による直接変換器の１実施形態では、この実施形態は明瞭にする目的で示されているのではなく、極間で少なくとも１つの正電圧と少なくとも１つの負電圧を切換えるための少なくとも１つのさらに別の２極スイッチングセル２がそれぞれの直列接続中に接続され、その結果として切換えられる電圧、即ち電圧伝播容量は入力相接続Ｕ１、Ｖ１、Ｗ１と出力相接続Ｕ２、Ｖ２、Ｗ２との間の全体的な直列接続を横切って有効に増加されることができる。
【００１６】
例えば、前述の方法で構成された少なくとも１つのさらに別の２極スイッチングセル２が、少なくとも１つの正電圧と少なくとも１つの負電圧を極間で切換えるために各スイッチングセル２と並列に接続されることも考えられる。結果として、より高い電流、即ち増加された電流伝播容量を実現することが入力相接続Ｕ１、Ｖ１、Ｗ１と出力相接続Ｕ２、Ｖ２、Ｗ２との間の直列接続全体を通して可能になる。スイッチングセル２と少なくとも１つのインダクタンス３により形成される各直列回路との並列接続が存在することも可能であり、少なくとも１つのさらに別の直列回路が極と少なくとも１つのさらに別のインダクタンス３との間で少なくとも１つの正電圧と少なくとも１つの負電圧とを切換えるため２極スイッチングセル２により形成される。
【００１７】
スイッチングセル２の故障の場合の保護のために、短絡素子は好ましくは各スイッチングセル２と並列して接続されることができる。
【００１８】
本発明によるシステムの実施形態は図４乃至図１６で示されており、以下詳細に説明され、図４乃至図８、図１０、図１３、図１４は例示として、例えば鉄道システムの結合のため、３相ＡＣ電圧システム５を２相ＡＣ電圧システムへ結合するためのシステムを例示として示しており、ここで図９、図１１、図１２、図１５、図１６は例示として例えば回転電気機械のための、３相ＡＣ電圧システム５を電気負荷へ結合するためのシステムを示している。本発明による前述の直接変換器１を具備している本発明によるシステムの場合、直接変換器１は図４、図７乃至図１０、図１３、図１４で例示として示されているように変圧器４を介して入力相接続Ｕ１、Ｖ１、Ｗ１でＡＣ電圧システム５に接続されている。この代りとして、本発明による直接変換器１は図６だけではなく図５、図１４乃至図１６の例により示されているように入力故障電流制限インダクタ６を介して直接変換器１の少なくとも１つの入力相接続Ｕ１、Ｖ１、Ｗ１でＡＣ電圧システムに接続されている。入力相接続Ｕ１、Ｖ１、Ｗ１が接地されているならば、好ましくはこの入力相接続Ｕ１、Ｖ１、Ｗ１において入力故障電流制限インダクタ６を使用しないことも可能である。それぞれの入力故障電流制限インダクタ６は故障状態で生じる可能性のある大きな入力側電流を制限し、それによって損傷又は破壊に対して直接変換器１を保護する。図１１と図１２によれば、例えば回転電気機械の動作のための応用、電気ＡＣ電圧システム５へ直接接続されるための入力相接続Ｕ１、Ｖ１、Ｗ１も考えられる。本発明によるシステムの構造はしたがって全体的に非常に簡単な方法で実現されることができる。
【００１９】
さらにこのシステムの場合、出力故障電流制限インダクタ７は図４乃至図８、図１０、図１３、図１４の例に示されているように直接変換器１の少なくとも１つの出力相接続Ｕ２、Ｖ２、Ｗ２に随意選択的に接続される。出力相接続Ｕ２、Ｖ２、Ｗ２が接地されているならば、好ましくはこの出力相接続Ｕ２、Ｖ２、Ｗ２において出力故障電流制インダク７６をなくすことが可能である。それぞれの出力故障電流制限インダクタ７は故障状態で可能な大きな出力側電流を制限し、それによって損傷又は破壊に対して直接変換器１を保護する。
【００２０】
図７によれば、抵抗ＲとキャパシタンスＣからなる直列回路により形成されるＲＣフィルタ８が出力故障電流制限インダクタ７に接続され接地されることが可能であり、それによって絶縁体（変圧器、ケーブル）に作用する電圧勾配ｄｕ／ｄｔを制限することができる。
【００２１】
図８と図９によれば、各入力相接続Ｕ１、Ｖ１、Ｗ１が抵抗Ｒ、キャパシタンスＣからなる直列回路により形成されたそれぞれのエッジフィルタ９に接続されることも可能であり、このエッジフィルタ９はその後相互に接続され、接続点は接地抵抗Ｒｇを介して接地される。このようなエッジフィルタも絶縁体（変圧器、ケーブル）に作用する電圧勾配ｄｕ／ｄｔを制限するように機能する。随意選択的にエッジフィルタ９の接続点は２つのフィルタ８、９の結合を実現するためにＲＣフィルタ８の接地点に接続される。
【００２２】
さらに、一般的に本発明によるシステムの場合、充電装置10は図１１および図１２に示されているように少なくとも１つの入力相接続Ｕ１、Ｖ１、Ｗ１に接続されている。前述したように、入力故障電流制限インダクタ６が直接変換器１の少なくとも１つの入力相接続Ｕ１、Ｖ１、Ｗ１に接続されているならば、充電装置10が入力故障電流制限インダクタ６に接続されることも考えられる。さらに、このような充電装置10は図１０に示されているように出力故障電流制限導体７に接続されることもできる。出力故障電流制限インダクタ７が直接変換器１の少なくとも１つの出力相接続Ｕ２、Ｖ２、Ｗ２に接続されている場合には、充電装置10が出力故障電流制限インダクタ７に接続されることも考えられる。通常、充電装置10はスイッチングセル２の容量エネルギ蓄積装置を有効に充電するように機能する。充電装置１０は中程度の電圧の遮断器、適切な補助電圧から必要な充電電圧を発生する単相で恐らく調節可能な充電変圧器、充電変圧器の任意の所望のサイドの充電電流制限計量器（ＡＣ電力制御装置または充電抵抗）から構成されている。複数の直接変換器１が１つの充電装置10を共用することが考えられる。各直接変換器１は専用の遮断器を介して充電装置へ接続され、充電される直接変換器１はその後それぞれの閉じられている断路器により充電装置10へ接続される。
【００２３】
本発明によるシステムの場合、少なくとも１つのさらに別の直接変換器11も設けられることができ、前記さらに別の直接変換器11は既に前述したような本発明による直接変換器１のように実施され、それぞれのさらに別の直接変換器11のｎ個の入力相接続Ｕ１、Ｖ１、Ｗ１は直接変換器１のｎ個の入力相接続Ｕ１、Ｖ１、Ｗ１に対応し、それぞれのさらに別の直接変換器11のｐ個の出力相接続Ｕ２、Ｖ２、Ｗ２は直接変換器１のｐ個の入力相接続Ｕ２、Ｖ２、Ｗ２に対応する。好ましくはそれぞれのさらに別の直接変換器11はそのそれぞれのさらに別の直接変換器11の入力相接続Ｕ１、Ｖ１、Ｗ１と出力相接続Ｕ２、Ｖ２、Ｗ２において図１３と図１５の例に示されているように直接変換器１の入力相接続Ｕ１、Ｖ１、Ｗ１と出力相接続Ｕ２、Ｖ２、Ｗ２で直接変換器に並列に接続されている。応用に応じて、それぞれのさらに別の直接変換器11が図１４による直接変換器１と並列に接続されることも好都合である。図１６の例により示されているように、電気負荷を介する、例えば回転電気機械の巻線を介するさらに別の直接変換器11と直接変換器１の出力側の接続も考えられる。
以下に、本願出願時の特許請求の範囲に記載された発明を付記する。
[１]ｎ個の入力相接続（Ｕ１、Ｖ１、Ｗ１）とｐ個の出力相接続（Ｕ２、Ｖ２、Ｗ２）とを有しており、ここではｎ≧２およびｐ≧２であり、さらに極間で少なくとも１つの正電圧及び少なくとも１つの負電圧を切換えるための（ｎ・ｐ）個の２極スイッチングセル（２）を具備しており、各出力相接続（Ｕ２、Ｖ２、Ｗ２）はスイッチングセル（２）を介して各入力相接続（Ｕ１、Ｖ１、Ｗ１）と直列に接続されている直接変換器（１）において、
少なくとも１つのインダクタンス（３）が各直列接続に接続されていることを特徴とする直接変換器（１）。
[２]各スイッチングセル（２）は制御された単方向の電流伝播方向を有する４個の駆動可能な双方向電力半導体スイッチを有し、前記電力半導体スイッチはブリッジ回路として接続されており、容量エネルギ蓄積装置は前記電力半導体スイッチの前記ブリッジ回路に並列接続されていることを特徴とする前記[１]記載の直接変換器（１）。
[３]前記極間で少なくとも１つの正電圧及び少なくとも１つの負電圧を切換えるための少なくとも１つのさらに別の２極スイッチングセル（２）は、各直列接続に接続されていることを特徴とする前記[１]または[２]記載の直接変換器（１）。
[４]前記極間で少なくとも１つの正電圧及び少なくとも１つの負電圧を切換えるための少なくとも１つのさらに別の２極スイッチングセル（２）は、各スイッチングセル（２）に並列に接続されていることを特徴とする前記[１]乃至[３]のいずれか１つに記載の直接変換器（１）。
[５]前記スイッチングセル（２）および少なくとも１つのインダクタンス（３）により形成される各直列回路の並列接続が存在し、少なくとも１つのさらに別の直列回路が前記極と少なくとも１つのさらに別のインダクタンス（３）との間で少なくとも１つの正電圧と少なくとも１つの負電圧を切換えるために２極スイッチングセル（２）により形成されていることを特徴とする前記[１]乃至[３]のいずれか１つに記載の直接変換器（１）。
[６]短絡回路素子は各スイッチングセル（２）と並列に接続されることを特徴とする前記[１]乃至[５]のいずれか１つに記載の直接変換器（１）。
[７]前記[１]乃至[６]のいずれか１つに記載の直接変換器（１）が変圧器（４）を介して前記入力相接続（Ｕ１、Ｖ１、Ｗ１）において電気ＡＣ電圧システム（５）に接続されていることを特徴とするシステム。
[８]前記[１]乃至[６]のいずれか１つに記載の直接変換器が入力故障電流制限インダクタ（６）を介して前記直接変換器（１）の少なくとも１つの入力相接続（Ｕ１、Ｖ１、Ｗ１）において電気ＡＣ電圧システム（５）に接続されていることを特徴とするシステム。
[９]出力故障電流制限インダクタ（７）が前記直接変換器（１）の少なくとも１つの出力相接続（Ｕ２、Ｖ２、Ｗ２）に接続されていることを特徴とする前記[７]または[８]記載のシステム。
[１０]抵抗（Ｒ）とキャパシタンス（Ｃ）との直列回路により形成されるＲＣフィルタ（８）は出力故障電流制限インダクタ（７）に接続され、接地されていることを特徴とする前記[９]記載のシステム。
[１１]各入力相接続（Ｕ１、Ｖ１、Ｗ１）が抵抗（Ｒ）とキャパシタンス（Ｃ）との直列回路により形成されている各エッジフィルタ（９）にそれぞれ接続され、前記エッジフィルタ（９）は相互に接続され、その接続点は接地抵抗（Ｒｇ）を介して接地されていることを特徴とする前記[７]乃至[１０]のいずれか１つに記載のシステム。
[１２]充電装置（10）は少なくとも１つの入力相接続（Ｕ１、Ｖ１、Ｗ１）に接続されていることを特徴とする前記[７]乃至[１１]のいずれか１つに記載のシステム。
[１３]充電装置（10）は出力故障電流制限インダクタ（７）に接続されていることを特徴とする前記[９]記載のシステム。
[１４]前記[１]乃至[５]のいずれか１つに記載されているのと同様の少なくとも１つのさらに別の直接変換器（11）が、前記さらに別の直接変換器（11）のｎ個の入力相接続（Ｕ１、Ｖ１、Ｗ１）は前記直接変換器（１）のｎ個の入力相接続（Ｕ１、Ｖ１、Ｗ１）に対応し、前記さらに別の直接変換器（11）のｐ個の出力相接続（Ｕ２、Ｖ２、Ｗ２）は前記直接変換器１のｐ個の入力相接続（Ｕ２、Ｖ２、Ｗ２）に対応し、
前記さらに別の各直接変換器（11）は、前記さらに別の各直接変換器（11）の前記入力相接続（Ｕ１、Ｖ１、Ｗ１）と出力相接続（Ｕ２、Ｖ２、Ｗ２）とが、前記直接変換器（１）の前記入力相接続（Ｕ１、Ｖ１、Ｗ１）と前記出力相接続（Ｕ２、Ｖ２、Ｗ２）と並列接続されていることを特徴とする前記[７]乃至[１３]のいずれか１つに記載のシステム。
【符合の説明】
【００２４】
１…直接変換器、２…スイッチングセル、３…インダクタンス、４…変圧器、５…ＡＣ電圧システム、６…入力故障電流制限インダクタ、７…出力故障電流制限インダクタ、８…ＲＣフィルタ、９…エッジフィルタ、１０…充電装置、１１…別の直接変換器。
【図１】
0005646265.tif 000002
【図２】
0005646265.tif 000003
【図３】
0005646265.tif 000004
【図４】
0005646265.tif 000005
【図５】
0005646265.tif 000006
【図６】
0005646265.tif 000007
【図７】
0005646265.tif 000008
【図８】
0005646265.tif 000009
【図９】
0005646265.tif 000010
【図１０】
0005646265.tif 000011
【図１１】
0005646265.tif 000012
【図１２】
0005646265.tif 000013
【図１３】
0005646265.tif 000014
【図１４】
0005646265.tif 000015
【図１５】
0005646265.tif 000016
【図１６】
0005646265.tif 000017